(57)【要約】【課題】  液晶表示素子の液晶層厚さムラ（ギャップムラ）に起因する輝度ムラの発生を抑える。【解決手段】  温度センサ（４４Ｒ，４４Ｂ，４４Ｇ）は、それぞれ、反射型液晶表示素子（２２Ｒ，２２Ｂ，２２Ｇ）の透明電極温度と光反射電極温度を検出し、歪み検知部（４６）に通知する。歪み検知部（４６）は、通知された温度から歪みの有無と歪み量を算出する。一定以上の歪みに対し、ムラ補正部（４０）は、歪み検知部（４６）で算出された歪み量に従ったムラ補正を、画像処理部（３８）からの画像データに施す。【選択図】  図１
2010156917.tif 000002
【特許請求の範囲】
【請求項１】
光源と、
透明電極と光反射電極で液晶を挟んだ液晶表示素子と、
前記光源の出力光を前記液晶表示素子で変調した光を投射する投射レンズと、
画像信号に応じて前記液晶表示素子を駆動する液晶駆動手段と、
前記液晶表示素子の歪みを検知する歪み検知手段と、
前記歪み検知手段で検知される歪みに応じて、前記液晶駆動手段に供給される前記画像信号をムラ補正するムラ補正手段
とを有することを特徴とする液晶表示装置。
【請求項２】
前記歪み検知手段は、前記光源の温度と前記液晶表示素子の温度を測定する温度測定手段を有し、前記温度測定手段で測定された温度から前記液晶表示素子の歪み量を算出することを特徴とする請求項１に記載の液晶表示装置。
【請求項３】
前記歪み検知手段は、前記透明電極及び前記光反射電極の温度を測定する温度測定手段を有し、前記温度測定手段で測定された温度から前記液晶表示素子の歪み量を算出することを特徴とする請求項１に記載の液晶表示装置。
【請求項４】
光源と、
透明電極と光反射電極で液晶を挟んだ液晶表示素子と、
前記光源の出力光を前記液晶表示素子で変調した光を投射する投射レンズと、
画像信号に応じて前記液晶表示素子を駆動する液晶駆動手段と、
起動時に、前記画像信号として、輝度ムラ抑止起動画面の画像信号を前記液晶駆動手段に供給する手段
とを有することを特徴とする液晶表示装置。
【発明の詳細な説明】
【技術分野】
【０００１】
本発明は、液晶表示装置に関する。
【背景技術】
【０００２】
近年、液晶表示装置が、ポケット液晶テレビジョン受像機、ラップトップ型コンピュータ用ディスプレイ装置及びプロジェクタ等として、多くの用途又は分野で使用されている。
【０００３】
特に、大画面で小型・軽量のディスプレイ装置の要求に伴い、液晶パネルを用いた投射型液晶表示装置、いわゆる液晶プロジェクタの開発が盛んに行われている。液晶プロジェクタは、大画面化が容易であること等から、テレビジョン用としても期待されている。
【０００４】
液晶プロジェクタは、透過型又は反射型の液晶パネルの透過率又は反射率の面分布を入射映像信号の画像に応じて変化させ、光源からの光の液晶パネルの透過光又は反射光をスクリーンに投射して、画像を表示する。光源からの光をＲ（赤），Ｇ（緑）およびＢ（青）の３原色に分解し、各色用の液晶パネルに入射し、各色用の液晶パネルで変調された３原色光を再び合成することで、カラー画像表示を実現する。
【０００５】
液晶パネルは水平垂直に複数の絵素からなり、各絵素は、液晶材料を電極で挟んだ構成からなる。図２は、反射型液晶パネルの断面構造を示す。反射側には、Ｓｉ駆動回路基板７０上に光反射電極７２を配置し、配向膜７４で被覆する。透明側には、ガラス板７６の内面に透明電極７８を塗布し、更に配向膜８０を配置する。そして、配向膜７４と配向膜８０の間に垂直配向液晶８２を挟み込む。光反射電極７２は、例えば、アルミ膜からなり、透明電極７８はＩＴＯ（酸化インジウムスズ）等の透明導電体からなる。Ｓｉ駆動回路基板７０には、各絵素を入力画像信号の画素値に従って所与の電圧で駆動する駆動回路が印刷等により形成される。アクティブマトリクス方式では、各絵素に駆動回路を設ける。
【０００６】
液晶プロジェクタは、一般に高輝度ランプを使用する。透明電極７８と光反射電極７２は一般に光吸収率が異なることから、本体起動時の高輝度ランプの点灯直後では、熱膨張速度に差が発生する。図３は、透明電極７８と光反射電極７２の相対的な温度上昇の様子を示す。横軸は時間を示し、縦軸は温度を示す。熱による膨張量がランプ点灯時には過渡的に異なっているので、液晶パネルが本体起動時に一時的に湾曲する。図４は、湾曲した液晶パネルの断面図を示す。このような湾曲が液晶層のセルギャップの面内分布ムラを惹き起こし、このセルギャップの面内分布ムラが、画面の中央付近から外側に向かう、過渡的な輝度ムラを惹き起こす。
【０００７】
特許文献１には、このような輝度ムラを補正する補正信号を発生する補正回路を設ける構成が記載されている。補正回路は、液晶パネルの水平方向及び垂直方向の中央ほど振幅が大きくなるようななだらかな変化の補正信号を発生する。加算器が、入力映像信号に対して補正回路からの補正信号を加算し、その加算結果の信号を液晶パネルの駆動回路に供給する。
【特許文献１】特開２０００−０５６７３７号公報
【発明の開示】
【発明が解決しようとする課題】
【０００８】
特許文献1に記載の技術では、予め判明しているセルギャップのムラには対応できる。しかし、反射型液晶パネルの動的な歪みや、起動時の条件の違いによる熱膨張速度の変化及びゆがみに動的にかつ適切に対応することができなかった。
【０００９】
本発明は、反射型液晶パネルの液晶層厚さムラ（ギャップムラ）に起因する輝度ムラの発生を適切に抑制できる液晶表示装置を提示することを目的とする。
【課題を解決するための手段】
【００１０】
本発明に係る液晶表示装置は、光源と、透明電極と光反射電極で液晶を挟んだ液晶表示素子と、前記光源の出力光を前記液晶表示素子で変調した光を投射する投射レンズと、画像信号に応じて前記液晶表示素子を駆動する液晶駆動手段と、前記液晶表示素子の歪みを検知する歪み検知手段と、前記歪み検知手段で検知される歪みに応じて、前記液晶駆動手段に供給される前記画像信号をムラ補正するムラ補正手段とを有することを特徴とする。
【００１１】
本発明に係る液晶表示装置は、光源と、透明電極と光反射電極で液晶を挟んだ液晶表示素子と、前記光源の出力光を前記液晶表示素子で変調した光を投射する投射レンズと、画像信号に応じて前記液晶表示素子を駆動する液晶駆動手段と、起動時に、前記画像信号として、輝度ムラ抑止起動画面の画像信号を前記液晶駆動手段に供給する手段とを有することを特徴とする。
【発明の効果】
【００１２】
本発明によれば、液晶表示素子の液晶層厚さムラ（ギャップムラ）に起因する輝度ムラの発生を抑えることができる。
【発明を実施するための最良の形態】
【００１３】
以下、図面を参照して、本発明の実施例を詳細に説明する。
【００１４】
図１は、本発明の一実施例である３板式反射型液晶プロジェクタの概略構成ブロック図を示す。
【００１５】
先ず、本実施例に係る液晶表示装置１０の光学系の構成と作用を説明する。高輝度ランプからなる光源１２は、平行な光源光を偏光子１４に出力する。偏光子１４は、光源１２からの光源光のＳ偏波成分を透過して４５度傾斜のダイクロイックミラー１６に入射する。ダイクロイックミラー１６は、偏光子１４からのＳ偏波成分のうち、赤色（Ｒ）成分と青色（Ｂ）成分を透過し、緑色（Ｇ）成分を反射する。すなわち、ダイクロイックミラー１６は、赤色・青色（ＲＢ）成分と、緑色（Ｇ）成分を分離する。
【００１６】
波長選択性を有する偏光回転素子１８は、ダイクロイックミラー１６を透過したＲＢ成分のうち、Ｒ成分をＳ偏光のまま透過し、Ｂ成分をＰ偏光に回転して透過する。すなわち、偏光回転素子１８は、Ｒ成分とＢ成分を互いに直交した偏光で偏光ビームスプリッタ２０に出力する。
【００１７】
偏光ビームスプリッタ２０は、誘電体多層膜２０ｃを挟むように三角柱状の２つの直角プリズム２０ａ，２０ｂを貼り付けた立方体形状からなる。偏光ビームスプリッタ２０の誘電体多層膜２０ｃは、Ｓ偏光を反射し、Ｐ偏光を透過する。偏光ビームスプリッタ２０の一面に隣接して反射型液晶表示素子２２Ｒを配置してあり、別の一面に隣接して反射型液晶表示素子２２Ｂを配置してある。偏光ビームスプリッタ２０は、偏光回転素子１８からのＲ成分（Ｓ偏光）を反射して反射型液晶表示素子２２Ｒに入射し、偏光回転素子１８からのＢ成分（Ｐ偏光）を透過して反射型液晶表示素子２２Ｂに入射する。
【００１８】
詳細は後述するが、反射型液晶表示素子２２Ｒは、入射映像信号のＲ成分に応じた画像、すなわちＲ画像を表示し、反射型液晶表示素子２２Ｂは、入射映像信号のＢ成分に応じた画像、すなわちＢ画像を表示する。反射型液晶表示素子２２Ｒは、偏光ビームスプリッタ２０からのＳ偏光のＲ成分を、Ｒ画像の輝度に応じた光反射率で反射、即ち変調して、Ｐ偏光の赤色（Ｒ）変調光を偏光ビームスプリッタ２０に戻す。Ｐ偏光であるので、誘電体多層膜２０ｃは、このＲ変調光を透過する。他方、反射型液晶表示素子２２Ｂは、偏光ビームスプリッタ２０からのＰ偏光のＢ成分を、Ｂ画像の輝度に応じた光反射率で反射、すなわち変調して、Ｓ偏光の青色（Ｂ）変調光を偏光ビームスプリッタ２０に入射する。Ｓ偏光であるので、誘電体多層膜２０ｃは、このＢ変調光を反射する。
【００１９】
波長選択性を有する偏光回転素子２４は、偏光ビームスプリッタ２０からのＲ変調光をＰ偏光からＳ偏光に回転して透過し、Ｂ変調光をＳ偏光のまま透過する。すなわち、偏光回転素子２４は、互いに直交する偏波のＲ変調光とＢ変調を同じＳ偏光に揃えて、偏光ビームスプリッタ３２に入射する。
【００２０】
偏光回転素子２６は、ダイクロイックミラー１６で反射したＧ成分（Ｐ偏光）をＳ偏光に回転して透過する。透過したＧ成分（Ｓ偏光）は、偏光ビームスプリッタ２８に入射する。偏光ビームスプリッタ２８は、偏光ビームスプリッタ２０と同様に、誘電体多層膜２８ｃを挟むように三角柱状の２つの直角プリズム２８ａ，２８ｂを貼り付けた立方体形状からなる。偏光ビームスプリッタ２８の誘電体多層膜２８ｃは、Ｓ偏光を反射し、Ｐ偏光を透過する。偏光ビームスプリッタ２８の一面に隣接して反射型液晶表示素子２２Ｇを配置してある。偏光ビームスプリッタ２８は、偏光回転素子２６からのＧ成分（Ｓ偏光）を反射して反射型液晶表示素子２２Ｇに入射する。
【００２１】
反射型液晶表示素子２２Ｇは、入射映像信号のＧ成分に応じた画像、すなわちＧ画像を表示する。反射型液晶表示素子２２Ｇは、偏光ビームスプリッタ２８からのＳ偏光のＧ成分を、Ｇ画像の輝度に応じた光反射率で反射、すなわち変調して、Ｐ偏光の緑色（Ｇ）変調光を偏光ビームスプリッタ２８に戻す。Ｐ偏光であるので、誘電体多層膜２８ｃは、このＧ変調光を透過する。
【００２２】
偏光回転素子３０は、偏光ビームスプリッタ２８からのＧ変調光をＰ偏光のまま透過し、偏光ビームスプリッタ３２に入射する。偏光回転素子３０は、偏光回転素子２４と光路長を合わせるために設けられている。すなわち、偏光回転素子３０は、オプティカルフラットの光学板でもよい。
【００２３】
偏光ビームスプリッタ３２は、偏光ビームスプリッタ２０，２８と同様に、誘電体多層膜３２ｃを挟むように三角柱状の２つの直角プリズム３２ａ，３２ｂを貼り付けた立方体形状からなる。偏光ビームスプリッタ３２では、誘電体多層膜３２ｃは、Ｓ偏光を反射し、Ｐ偏光を透過する。従って、偏光ビームスプリッタ３２は、偏光回転素子２４からのＲ変調光（Ｓ偏光）及びＢ変調光（Ｓ偏光）を反射し、偏光回転素子３０からのＧ変調光（Ｐ偏光）を透過する。この結果、偏光ビームスプリッタ３２は、Ｒ変調光、Ｂ変調光及びＧ変調光を同一光軸上に空間的に合波する。この合波光は、投射レンズ３４により、図示しないスクリーンに投射される。
【００２４】
画像入力部３６は、ＤＶＩ又はコンポジットビデオ等の映像入力インターフェースであり、外部から入力した映像信号を画像処理部３８に供給する。画像処理部３８は、画像入力部３６からの映像信号に対し、フレームレート変換、解像度変換及びガンマ変換等の画像処理を行い、各フレームの画像データをムラ補正部４０に供給する。ムラ補正部４０は、画像処理部３８からの画像データのムラを補正して、または、そのまま、液晶駆動部４２に供給する。ムラ補正部４０の作用は、後述する。液晶駆動部４２はムラ補正部４０からの画像データに従い、そのＲ成分、Ｂ成分及びＧ成分でそれぞれ反射型液晶表示素子２２Ｒ，２２Ｂ，２２Ｇを駆動する。これより、反射型液晶表示素子２２Ｒ，２２Ｂ，２２Ｇは、それぞれＲ画像、Ｂ画像及びＧ画像を表示する。
【００２５】
本実施例では、各反射型液晶表示素子２２Ｒ，２２Ｂ，２２Ｇの温度を検出する温度センサ４４Ｒ，４４Ｂ，４４Ｇを、各反射型液晶表示素子２２Ｒ，２２Ｂ，２２Ｇに組み込んである。図５は、反射型液晶表示素子２２Ｒ，２２Ｂ，２２Ｇの断面構造を示し、温度センサ４４Ｒ，４４Ｂ，４４Ｇの配置も図示してある。反射型液晶表示素子２２Ｒ，２２Ｂ，２２Ｇの断面構造自体は、図２に示す従来例と同じであり、同じ構成要素には同じ符号を付してある。温度センサ４４Ｒ，４４Ｂ，４４Ｇは、透明電極７８の温度を計測する温度計測素子６０と、光反射電極７２の温度を計測する温度計測素子６２からなる。
【００２６】
温度センサ４４Ｒ，４４Ｂ，４４Ｇは、透明電極と光反射電極の検出温度（又は，それらの検出温度を示すデータ）をシステムバス５２を介して歪み検知部４６に供給する。歪み検知部４６は、各温度センサ４４Ｒ，４４Ｂ，４４Ｇの検出温度に従い、各反射型液晶表示素子２２Ｒ，２２Ｂ，２２Ｇの歪み量を算出又は定量的に評価する。具体的には，歪み検知部４６は、透明電極７８と光反射電極７２の温度差と歪み量との対応表を格納したルックアップテーブル（ＬＵＴ）を具備する。そして、温度センサ４４Ｒ，４４Ｂ，４４Ｇによる検出温度に従い、このルックアップテーブルに照合して、各反射型液晶表示素子２２Ｒ，２２Ｂ，２２Ｇの歪み量を決定する。図６は、ルックアップテーブル例を示す。勿論、温度と歪みの関係を定量的に数式化しておき、検出温度をこの数式に適用して歪み量を決定しても良い。また、歪み検知部４６は、各反射型液晶表示素子２２Ｒ，２２Ｂ，２２Ｇの歪みを歪みセンサにより検知するようにしても良い。また、歪み検知部４６は、カメラなどにより投影された画像や液晶素子に表示している画像などを撮影し、撮影により得られた画像を解析することで歪み量を決定するようにしてもよい。
【００２７】
ムラ補正部４０は、歪み検知部４６の検知結果に従ったムラ補正、すなわち、算出された歪み量に従ったムラ補正を、画像処理部３８からの画像データに施す。具体的な方法として、メモリ５０に歪み量とムラ補正量との対応表を予め格納しておき、その対応表に歪み量を照合してムラ補正量を決定する。又は、所定の関係式に従い、歪み量からムラ補正量を決定する。歪みが無い場合、ムラ補正部４０は、画像処理部３８からの画像データをそのまま出力する。
【００２８】
ＣＰＵ４８はシステムバス５２を介して、メモリ５０及び上述の各部に接続し、これらを制御する。メモリ５０には、ＣＰＵ４８の動作に必要なデータ及びプログラム等が格納される。
【００２９】
図７は、本実施例の起動時（電源オン時）のムラ補正動作のフローチャートを示す。電源オンにより、図示した液晶表示装置１０が起動する（Ｓ１）。光源１２が点灯し（Ｓ２）、反射型液晶表示素子２２Ｒ，２２Ｂ，２２Ｇの駆動を開始する（Ｓ３）。同時に、温度センサ４４Ｒ，４４Ｂ，４４Ｇにより各反射型液晶表示素子２２Ｒ，２２Ｂ，２２Ｇの透明電極７８と光反射電極７２の温度の測定を開始する（Ｓ４）。
【００３０】
歪み検知部４６が、測定された温度から各反射型液晶表示素子２２Ｒ，２２Ｂ，２２Ｇで液晶素子の歪み発生の可能性を判定する（Ｓ５）。歪みが発生する場合（Ｓ５）、透明電極７８と光反射電極７２の温度差から、先に説明したように歪み量を算出する（Ｓ６）。そして、ムラ補正部４０が、算出された歪み量に応じた補正を画像処理部３８から送られる画像データに施して、液晶駆動部４２に供給する。これにより、各反射型液晶表示素子２２Ｒ，２２Ｂ，２２Ｇの歪みに起因する表示画像の輝度ムラが、補正される。液晶駆動部４２は、ムラ補正部４０からの画像信号のＲ画像、Ｂ画像およびＧ画像に従い、それぞれ、反射型液晶表示素子２２Ｒ，２２Ｂ，２２Ｇを駆動する。
【００３１】
反射型液晶表示素子２２Ｒ，２２Ｂ，２２Ｇの何れかで歪みが発生する間は（Ｓ５）、ステップＳ４〜Ｓ７を繰り返す。
【００３２】
何れの反射型液晶表示素子２２Ｒ，２２Ｂ，２２Ｇでも歪み発生の可能性が無くなると（Ｓ５）、ムラ補正部４０は、画像処理部３８から送られる画像データをそのままスルーして液晶駆動部４２に供給する（Ｓ８）。すなわち、ムラ補正無しの状態で，入力映像信号の各色の画像が反射型液晶表示素子２２Ｒ，２２Ｂ，２２Ｇにより表示され、その合成画像が、投射レンズ３４によりスクリーン（図示せず）に投射される。この状態が、投映終了まで続く（Ｓ９）。
【００３３】
歪みが無くなった反射型液晶表示素子ごとに通常液晶表示（Ｓ８）に移行してもよい。
【実施例１】
【００３４】
図８は、本発明の第２実施例の概略構成図を示す。図１と同じ構成要素には同じ符号を付してある。図１に示す実施例との相違点を主に、本実施例の構成と動作を説明する。
【００３５】
図８に示す実施例に係る液晶表示装置１１０では、ＣＰＵ１４８が、以下に説明するように各部を制御する。すなわち、各反射型液晶表示素子２２Ｒ，２２Ｂ，２２Ｇの温度センサ１４４Ｒ，１４４Ｂ，１４４Ｇは、図９に示すように、光反射電極７２の温度のみを検出する。図９は、各反射型液晶表示素子２２Ｒ，２２Ｂ，２２Ｇに対する温度センサ１４４Ｒ，１４４Ｂ，１４４Ｇの配置を示す断面図である。温度センサ１４４Ｒ，１４４Ｂ，１４４Ｇはそれぞれ、各反射型液晶表示素子２２Ｒ，２２Ｂ，２２Ｇの少なくとも１カ所の光反射電極温度を検出できれば良い。
【００３６】
外気温度測定部１５４が、光源１２の点灯開始時点からの周囲の外気温度を計測する。また、温度センサ１５６は、光源１２の点灯開始時点からの光源１２の温度を計測する。
【００３７】
歪み検知部１４６は、温度センサ１４４Ｒ，１４４Ｂ，１４４Ｇで測定された表示素子温度と、外気温度測定部１５４で測定された外気温度と、温度センサ１５６で測定された光源温度を取得する。そして、歪み検知部１４６は、これらの温度情報を元に、各反射型液晶表示素子２２Ｒ，２２Ｂ，２２Ｇの歪み量を予測又は算出する。このために、あらかじめ、これらの計測温度と、各反射型液晶表示素子２２Ｒ，２２Ｂ，２２Ｇの歪み量との関係を計測しておく。
【００３８】
ムラ補正部１４０は、実施例１と同様に、歪み検知部１４６で算出された歪み量に対応したムラ補正を、画像処理部３８からの画像信号に施す。
【００３９】
図１０、図１１及び図１２は、外気温度の相違による、透明電極温度と光反射電極温度の変化例を示す。反射型液晶表示素子が急加熱ではなく除々に加熱され、ある一定以下の加熱速度になる場合の例を示す。
【００４０】
図１０は、反射型液晶表示素子２２Ｒ，２２Ｂ，２２Ｇと光源１２の初期温度がともに低い場合の、光源１２の点灯開始からの一般的な温度変化を示す。これに対し、光源１２の光量が大きい場合には、図１１に示すように、透明電極温度及び光反射電極温度が急激に上昇し、熱飽和温度までの時間が短い。この場合、ユーザは、輝度ムラを殆ど認識できない。
【００４１】
図１２は、外気温度と反射型液晶表示素子２２Ｒ，２２Ｂ，２２Ｇの初期温度が共にある程度高く、光源１２の初期温度が低い場合を示す。加熱速度は一定以下であるが、飽和温度との差が少ないので、歪み発生時間が短くなる。
【００４２】
光源１２、反射型液晶表示素子２２Ｒ，２２Ｂ，２２Ｇ、及び外気の各初期温度に対する歪み量を予め計測し、ルックアップテーブルに格納しておく。そして、歪み検知部１４６は、実際の使用時に、これらの計測温度に従いルックアップテーブルを参照して、液晶表示素子２２Ｒ，２２Ｂ，２２Ｇの歪み量を予測又は算出する。
【００４３】
図１３は、本実施例の起動時（電源オン時）のムラ補正動作のフローチャートを示す。電源オンにより、図示した液晶表示装置１１０が起動する（Ｓ１１）。液晶表示素子２２Ｒ，２２Ｂ，２２Ｇの駆動を開始し（Ｓ１２）、各部の初期温度を測定する（Ｓ１３）。すなわち、温度センサ１４４Ｒ，１４４Ｂ，１４４Ｇが各反射型液晶表示素子２２Ｒ，２２Ｂ，２２Ｇの光反射電極７２の温度の測定を開始する。外気温度測定部１５４が外気の初期温度を計測する。温度センサ１５６が光源１２の初期温度を計測する。初期温度計測の後、光源１２を点灯する（Ｓ１４）。
【００４４】
歪み検知部１４６が、測定された温度から各反射型液晶表示素子２２Ｒ，２２Ｂ，２２Ｇで液晶素子の歪み発生の可能性を判定する（Ｓ１５）。歪みが発生する場合（Ｓ１５）、歪み検知部１４６は、計測した温度を予め計測した温度と歪み量との関係に照合して、歪み量を算出する（Ｓ１６）。そして、算出した歪み量に従い、ムラ補正部１４０が、算出した歪み量に応じた補正を画像処理部３８から送られる画像データに施して、液晶駆動部４２に供給する。これにより、各反射型液晶表示素子２２Ｒ，２２Ｂ，２２Ｇの歪みに起因する表示画像の輝度ムラが、補正される。液晶駆動部４２は、ムラ補正部１４０からの画像信号のＲ画像、Ｂ画像およびＧ画像に従い、それぞれ、反射型液晶表示素子２２Ｒ，２２Ｂ，２２Ｇを駆動する。
【００４５】
各部の温度を再度、測定する（Ｓ１８）。そして、歪みが発生する場合は（Ｓ１５）、ステップＳ１６〜Ｓ１８を繰り返す。
【００４６】
何れの反射型液晶表示素子２２Ｒ，２２Ｂ，２２Ｇでも歪み発生の可能性が無くなると（Ｓ１５）、ムラ補正部１４０は、画像処理部３８から送られる画像データをスルーして液晶駆動部４２に供給する（Ｓ１９）。すなわち、ムラ補正無しの状態で，入力映像信号の各色の画像が反射型液晶表示素子２２Ｒ，２２Ｂ，２２Ｇにより表示され、投射レンズ３４によりスクリーン（図示せず）に投射される。この状態が、投映終了まで続く（Ｓ２０）。
【００４７】
歪みが無くなった反射型液晶表示素子ごとに通常液晶表示（Ｓ１９）に移行してもよい。
【実施例２】
【００４８】
図１４は、単板式反射型液晶表示装置に適用した実施例の概略構成ブロック図を示す。単板式は、３板式よりも部品点数が少ない。光学系が小さくなるので、装置全体の小型化を図ることができる。
【００４９】
図１４に示す液晶表示装置２１０の光学系の構成と作用を簡単に説明する。光源２１２は、白色光を発生する高輝度ランプを楕円鏡の第２焦点に配置した構成からなり、高輝度ランプの出力光を一方向に平行に出力する。モータ２１４が、Ｒ，Ｂ，Ｇの色フィルタを等角度間隔で有するカラーフィルタ板２１６を光源２１２の前で回転させる。これにより、光源２１２の出力する白色光からＲ，Ｂ，Ｇを時分割した単色カラー光を生成できる。
【００５０】
ガラスロッド２１８はカラーフィルタ板２１６を透過した単色光を伝搬し、その出力光は、コリメータメータレンズ２２０および偏光板２２４を介して、偏光ビームスプリッタ２２６に入射する。ガラスロッド２１８は、入射光を側面で全反射して出射端面で光強度が均一になる。偏光板２２４は、偏光ビームスプリッタ２２６で反射される偏光成分のみを通過する。
【００５１】
偏光ビームスプリッタ２２６は、偏光板２２４からの光を反射して、反射型液晶表示素子２２２に入射する。反射型液晶表示素子２２２は、入射映像信号のカラー画像を表示する素子であり、入射光を表示カラー画像で空間的に強度変調し、入射光とは直交する偏光で反射する。反射型液晶表示素子２２２で強度変調された変調光は、偏光ビームスプリッタ２２６に再入射し、透過して、偏光板２２８を介して投射レンズ２３０に入射する。偏光板２２８は余分な偏光成分を除去する。投射レンズ２３０は、反射型液晶表示素子２２２の表示画像で強度変調された変調光を図示しないスクリーンに投射する。
【００５２】
図１４に示す実施例では、ＣＰＵ２４８が、次のように各部を制御する。すなわち、温度センサ１４４Ｒ，１４４Ｂ，１４４Ｇと同様の温度センサ２４４が、反射型液晶表示素子２２２の光反射電極の温度を検出する。外気温度測定部２５４が外気温度を測定し、温度センサ２５６が、光源２１２の温度を計測する。歪み検知部２４６が、歪み検知部１４６と同様の方法で、計測温度から反射型液晶表示素子２２２の歪み量を算出する。そして、ムラ補正部２４０が、ムラ補正部１４０と同様に動作して、起動時のムラを補正する。
【実施例３】
【００５３】
反射型液晶パネルの液晶層厚さムラ（ギャップムラ）に起因する輝度ムラは、低域の諧調で比較的に目立ちやすい事がわかっている。さらに、視覚的に緑色がもっとも目立ちやすく、赤と青が目立ちにくい。そこで、色ムラが最も目立ちやすい起動時に、所定時間、色むらが目立ちにくい特別の画像を表示するようにした。本実施例では、ムラ補正手段は不要になる。その特別の画像は、例えば、全体的な背景の諧調を、輝度ムラの見え難いモザイク模様とした画像である。例えば青色の濃度の濃い画像をベースとし、青色の濃度を最大諧調の３０％以上とする。このように、輝度ムラが見え難い色で、かつ見え難い諧調で構成することによって、ユーザに輝度ムラを見え難くすることができる。モザイク模様自体は、無くてもよい。
【００５４】
実施例１、２、３の構成で歪み発生が予測される場合に、強制的に上述の輝度ムラ抑止起動画面を輝度ムラが発生する可能性のある一定時間だけ表示するようにしてもよい。図１５は、そのように変更した液晶表示装置１１０の動作フローチャートを示す。
【００５５】
電源オンにより、液晶表示装置が起動する（Ｓ２１）。液晶表示素子の駆動を開始し（Ｓ２２）、各部の初期温度を測定する（Ｓ２３）。すなわち、温度センサ１４４Ｒ，１４４Ｂ，１４４Ｇが各反射型液晶表示素子２２Ｒ，２２Ｂ，２２Ｇの光反射電極７２の温度の測定を開始する。外気温度測定部１５４が外気の初期温度を計測する。温度センサ１５６が光源１２の初期温度を計測する。初期温度計測の後、光源１２を点灯する（Ｓ２４）。
【００５６】
歪み検知部１４６が、測定された温度から各反射型液晶表示素子２２Ｒ，２２Ｂ，２２Ｇで液晶素子の歪み発生の可能性を判定する（Ｓ２５）。歪みが発生する場合（Ｓ２５）、ムラ補正部１４０は、一定時間の間、画像処理部３８からの画像データの代わりに、上述の輝度ムラ抑止起動画面の画像データを液晶駆動部４２に供給する（Ｓ２６，Ｓ２７，Ｓ２８）。
【００５７】
一定時間、輝度ムラ抑止起動画面を投映したら、輝度ムラ抑止起動画面の表示を終了する（Ｓ２９）。その後、ムラ補正部１４０は、画像処理部３８から送られる画像データをスルーして液晶駆動部４２に供給する（Ｓ３０）。すなわち、ムラ補正無しの状態で，入力映像信号の各色の画像が反射型液晶表示素子２２Ｒ，２２Ｂ，２２Ｇにより表示され、投射レンズ３４によりスクリーン（図示せず）に投射される。この状態が、投映終了まで続く（Ｓ３１）。
【００５８】
何れの反射型液晶表示素子２２Ｒ，２２Ｂ，２２Ｇでも歪み発生の可能性が無い場合（Ｓ１５）、一応、輝度ムラ抑止起動画面を表示する（Ｓ３２）。そして、輝度ムラ抑止起動画面を停止すべき条件が満たされている場合には（Ｓ３３）、輝度ムラ抑止起動画面の表示を終了し（Ｓ２９）、通常表示に移行する（Ｓ３０，Ｓ３１）。
【００５９】
輝度ムラ抑止起動画面を停止すべきでないとき、例えば、ユーザによる輝度ムラ抑止起動画面の表示の指示操作があったときには（Ｓ３３）、輝度ムラ抑止起動画面の表示時間を計時するタイマを起動する（Ｓ３４）。そして、当該タイマの計時時間が所定時間Ｔを超えるまで（Ｓ３５）、ステップS３２，S３３を繰り返す。当該タイマの計時時間が所定時間Ｔを超えたら（Ｓ３５）、輝度ムラ抑止起動画面の表示を終了し（Ｓ２９）、通常表示に移行する（Ｓ３０，Ｓ３１）。
【図面の簡単な説明】
【００６０】
【図１】本発明の一実施例である３板式反射型液晶プロジェクタの概略構成ブロック図を示す。
【図２】反射型液晶パネルの断面構造を示す。
【図３】透明電極７８と光反射電極７２の相対的な温度上昇の様子を示す模式図である。
【図４】湾曲した液晶パネルの断面図を示す。
【図５】反射型液晶表示素子２２Ｒ，２２Ｂ，２２Ｇの断面構造を示す。
【図６】温度と、歪みによるムラ補正との関係のルックアップテーブル例である。
【図７】本実施例の起動時（電源オン時）のムラ補正動作のフローチャートを示す。
【図８】本発明の第２実施例の概略構成図を示す。
【図９】温度センサ１４４Ｒ，１４４Ｂ，１４４Ｇの配置を示す液晶表示素子の断面図である。
【図１０】透明電極温度と光反射電極温度の変化例を示す。
【図１１】透明電極温度と光反射電極温度の変化例を示す。
【図１２】透明電極温度と光反射電極温度の変化例を示す。
【図１３】図８に示す実施例の起動時（電源オン時）のムラ補正動作のフローチャートを示す。
【図１４】単板式反射型液晶表示装置に適用した実施例の概略構成ブロック図を示す。
【図１５】起動時に輝度ムラ抑止起動画面を表示するように動作フローチャートを示す。
【符号の説明】
【００６１】
１０：液晶プロジェクタ
１２：光源
１４：偏光子
１６：ダイクロイックミラー
１８：偏光回転素子
２０：偏光ビームスプリッタ
２０ａ，２０ｂ：直角プリズム
２０ｃ：誘電体多層膜
２２Ｒ，２２Ｂ，２２Ｇ：反射型液晶表示素子
２４：偏光回転素子
２６：偏光回転素子
２８：偏光ビームスプリッタ
２８ａ，２８ｂ：直角プリズム
２８ｃ：誘電体多層膜
３０：偏光回転素子
３２：偏光ビームスプリッタ
３２：偏光ビームスプリッタ
３２ａ，３２ｂ：直角プリズム
３４：投射レンズ
３６：画像入力部
３８：画像処理部
４０：ムラ補正部
４２：液晶駆動部
４４Ｒ，４４Ｂ，４４Ｇ：温度センサ
４６：歪み検知部
４８：ＣＰＵ
５０：メモリ
５２：システムバス
６０、６２：温度計測素子
７０：Ｓｉ駆動回路基板
７２：光反射電極
７４：配向膜
７６：ガラス板
７８：透明電極
８０：配向膜
８２：垂直配向液晶
１１０：液晶表示装置
１４０：ムラ補正部
１４４Ｒ，１４４Ｂ，１４４Ｇ：温度センサ
１４６：歪み検知部
１５４：外気温度測定部
１５６：温度センサ
２１０：液晶表示装置
２１２：光源
２１４：モータ
２１６：カラーフィルタ板
２１８：ガラスロッド
２２０：コリメータメータレンズ
２２２：反射型液晶表示素子
２２４：偏光板
２２６：偏光ビームスプリッタ
２２８：偏光板
２３０：投射レンズ
２４０：ムラ補正部
２４４：温度センサ
２４６：歪み検知部
２５４：外気温度測定部
２５６：温度センサ
【図１】
2010156917.tif 000003
【図２】
2010156917.tif 000004
【図３】
2010156917.tif 000005
【図４】
2010156917.tif 000006
【図５】
2010156917.tif 000007
【図６】
2010156917.tif 000008
【図７】
2010156917.tif 000009
【図８】
2010156917.tif 000010
【図９】
2010156917.tif 000011
【図１０】
2010156917.tif 000012
【図１１】
2010156917.tif 000013
【図１２】
2010156917.tif 000014
【図１３】
2010156917.tif 000015
【図１４】
2010156917.tif 000016
【図１５】
2010156917.tif 000017